(57)【要約】【課題】  装置本体の動作状態に応じて表示部の開閉に関連する電源オン／オフ制御や動作表示制御が可能な電子機器及びプログラムの提供  【解決手段】  回転式表示部５が図８（ｂ）に示すように撮影者から見えない向きに閉じていると電源はオフとされる。但し、カメラ１がパソコンや画像プリント装置或いは画像表示装置やクレードルのような外部装置とＵＳＢ接続し且つ動作中のときやカメラ１が画像データを保存メモリに書き込んでいる間は電源をオフしないと同時にＬＥＤ７を点灯（又は点滅）させる。なお、この場合、撮影者の選択により電源を強制オフにすることもできる。更に、動作しているか否かが一見して明らかな外部装置についてはＬＥＤ７を点灯（又は点滅）しない。【選択図】  図８
2006186522.tif 000002
【特許請求の範囲】
【請求項１】
電子機器本体に対して開閉可能な表示装置を備えた電子機器であって、
前記表示装置が前記電子機器本体に対し閉じられたことを検出する開閉検出手段と、
この開閉検出手段により前記表示装置が閉じられたことが検出されたときに前記電子機器の電源をオフする電源オフ手段と、
前記電子機器が所定の処理動作中であるか否かを判断する動作判断手段と、
この動作判断手段により所定の処理動作中であると判断されたとき、前記電源オフ手段を動作させない電源オフ禁止手段と、
を備えたことを特徴とする電子機器。
【請求項２】
前記動作判断手段は、前記開閉検出手段により前記表示装置が閉じられたことが検出されたとき、前記電子機器が所定の処理動作中であるか否かを判断することを特徴とする請求項１に記載の電子機器。
【請求項３】
更に、前記動作判断手段は、前記電子機器が所定の外部装置に接続しているとき、外部装置との間でデータ送受信動作中であるか否かの動作状態を検出する手段を含み、
前記電源オフ禁止手段は、前記動作判断手段によりデータ送受信動作中であると判断された場合に前記電源オフ手段を動作させないことを特徴とする請求項１又は２に記載の電子機器。
【請求項４】
更に、前記動作判断手段は、前記電子機器がデータ出力を中断できない所定のデータ出力装置にデータを出力しているか否かの動作状態を検出する手段を含み、
前記電源オフ禁止手段は、前記動作判断手段によりデータ出力中であると判断された場合に前記電源オフ手段を動作させないことを特徴とする請求項１乃至３のいずれか１項に記載の電子機器。
【請求項５】
更に、前記動作判断手段は、前記電子機器がデータをメモリに書き込み中であるか否かの動作状態を検出する手段を含み、
前記電源オフ禁止手段は、前記動作判断手段によりデータ書き込み中であると判断された場合に前記電源オフ手段を動作させないことを特徴とする請求項１乃至４のいずれか１項に記載の電子機器。
【請求項６】
更に、前記動作判断手段は、前記所定の処理動作の終了を検出する動作終了検出手段を含み、前記動作終了検出手段により前記所定の処理動作の終了が検出された場合に前記電源オフ手段を動作させる電源オフ許可手段を備えたことを特徴とする請求項１乃至５のいずれか１項に記載の電子機器。
【請求項７】
更に、前記電源を強制的にオフする電源強制オフ手段を備え、前記電源オフ禁止手段を動作させるか、該電源オフ禁止手段に代えて前記電源強制オフ手段を動作させるかを選択する選択手段を備えたことを特徴とする請求項１乃至６のいずれか１項に記載の電子機器。
【請求項８】
少なくとも前記表示装置がオペレータから見える方向、或いは見えない方向へ回転する機構を有しており、
更に、前記表示装置がオペレータに見えない方向に向いているか否かを検出する方向検出手段を備え、
前記電源オフ手段は、前記開閉検出手段により前記表示装置が電子機器本体に対し閉じられたことが検出され、且つ前記方向検出手段により該表示装置がオペレータに見えない方向に向いていることが検出されたときに電源をオフすることを特徴とする請求項１乃至７のいずれか１項に記載の電子機器。
【請求項９】
更に、前記開閉検出手段により前記表示装置が閉じられたことが検出され、且つ前記動作判断手段により所定の処理動作中であると判断されたとき、告知する告知手段を備えたことを特徴とする請求項１乃至７のいずれか１項に記載の電子機器。
【請求項１０】
少なくとも前記表示装置がオペレータから見える方向、或いは見えない方向へ回転する機構を有しており、
更に、前記表示装置がオペレータに見えない方向に向いているか否かを検出する方向検出手段を備え、
前記告知手段は、前記開閉検出手段により前記表示装置が電子機器本体に対し閉じられたことが検出され、且つ前記方向検出手段により該表示装置がオペレータに見えない方向に向いていることが検出され、且つ前記動作判断手段により所定の処理動作中であると判断されたとき、告知することを特徴とする請求項９に記載の電子機器。
【請求項１１】
電子機器本体に対して開閉可能な表示装置を備えた電子機器であって、
前記表示装置が電子機器本体に対し閉じられたことを検出する開閉検出手段と、
この開閉検出手段により前記表示装置が閉じられたことが検出されたときに前記電子機器の電源がオン状態であるかオフ状態であるかの電源状態を検出する電源状態検出手段と、
この電源状態検出手段により電子機器の電源がオン状態であることが検出されたときに告知する告知手段と、
を備えたことを特徴とする電子機器。
【請求項１２】
少なくとも前記表示装置がオペレータから見える方向、或いは見えない方向へ回転する機構を有しており、
更に、前記表示装置がオペレータに見えない方向に向いているか否かを検出する方向検出手段を備え、
前記電源状態検出手段は、前記開閉検出手段により前記表示装置が電子機器本体に対し閉じられたことが検出され、且つ前記方向検出手段により該表示装置がオペレータに見えない方向に向いていることが検出されたときに電源がオン状態であるかオフ状態であるかの電源状態を検出することを特徴とする請求項１１に記載の電子機器。
【請求項１３】
更に、前記電源状態検出手段は、前記電子機器が所定の外部装置に接続しているとき、外部装置との間でデータ送受信動作中であるか否かの動作状態を検出する手段を含み、
前記告知手段は、前記電源状態検出手段によりデータ送受信動作中であることが検出されたときに告知することを特徴とする請求項１１又は１２に記載の電子機器。
【請求項１４】
更に、前記外部装置の種類を判定する外部装置判定手段と、
前記外部装置判定手段により、前記電子機器に接続されている外部装置がその動作時に、動作中であることが外見的に明らかな所定の外部装置の場合には、前記告知手段を動作させない告知禁止手段と、
を備えたことを特徴とする請求項１３に記載の電子機器。
【請求項１５】
更に、前記電源状態検出手段により前記電子機器の電源状態がオン状態からオフ状態に変化したときが検出されたときに前記告知手段による告知動作を停止する告知停止手段を備えたことを特徴とする請求項１１乃至１４のいずれか１項に記載の電子機器。
【請求項１６】
前記告知手段は、前記表示装置が閉じられた場合に該表示装置によって覆われない位置に設けられた動作確認用点灯／表示手段を含むことを特徴とする請求項１１乃至１５のいずれか１項に記載の電子機器。
【請求項１７】
電子機器本体に対して開閉可能な表示装置を備えた電子機器のコンピュータに、
前記表示装置が前記電子機器本体に対し閉じられたことを検出する機能と、
前記表示装置が閉じられたことが検出されたときに前記電子機器が所定の処理動作中であるか否かを判断する機能と、
前記所定の処理動作中でないと判断されたときに前記電子機器の電源をオフする機能と、
を実行させるプログラム。
【請求項１８】
電子機器本体に対して開閉可能な表示装置を備えた電子機器のコンピュータに、
前記表示装置が前記電子機器本体に対し閉じられたことを検出する機能と、
前記表示装置が閉じられたことが検出されたときに前記電子機器の電源がオン状態であるかオフ状態であるかの電源状態を検出する機能と、
前記電子機器の電源がオン状態であることが検出されたときその旨を告知する機能と、
を実行させるプログラム。
【発明の詳細な説明】
【技術分野】
【０００１】
本発明は、装置本体に対して開閉自在に設けられたバリアングルモニタ（回転方向可変型表示装置）等の表示部を備えた電子機器の表示部の開閉に関連する電源オン／オフ制御及び動作状態の表示制御技術に関する。
【背景技術】
【０００２】
従来、本体に対してヒンジ部を介して開閉自在な表示部を備えたデジタルカメラにおいて、液晶モニタ画面が内側を向いて本体に格納されているときは液晶モニタの電源は自動的にオフにされ、液晶モニタ画面が内側を向いて本体に格納されている状態から開くように動かすと自動的に液晶モニタの電源をオンにするデジタルカメラがある（例えば、特許文献１参照）。
【特許文献１】特許第３５３４９９５号公報
【発明の開示】
【発明が解決しようとする課題】
【０００３】
しかしながら、カメラの動作状態（例えば、ＵＳＢ接続している外部装置にデータ送信中といった状態）によっては液晶モニタ画面を閉じてもその状態が続いている間は電源をオンのままにしておいたほうがよい場合があるが、上記特許文献１に開示の技術では液晶モニタ画面が内側を向いて本体に格納するとき、つまり、液晶モニタ画面を撮影者から見えない方向に向けて閉じると自動的に電源をオフにするので、そのような状態を維持することができないといった課題があった。
【０００４】
本発明は、上記従来技術の課題を解決するためになされたものであり、装置本体の動作状態に応じて表示部の開閉に関連する電源オン／オフ制御や動作表示制御可能な電子機器及びプログラムの提供を目的とする。
【課題を解決するための手段】
【０００５】
上記課題を解決するために、請求項１に記載の発明は、電子機器本体に対して開閉可能な表示装置を備えた電子機器であって、表示装置が電子機器本体に対し閉じられたことを検出する開閉検出手段と、この開閉検出手段により表示装置が閉じられたことが検出されたときに電子機器の電源をオフする電源オフ手段と、電子機器が所定の処理動作中であるか否かを判断する動作判断手段と、この動作判断手段により所定の処理動作中であると判断されたとき、電源オフ手段を動作させない電源オフ禁止手段と、
を備えたことを特徴とする電子機器を提供する。  
これにより、電子機器は表示装置が閉じられると所定の処理を実行中でなければ電源をオフとするが、電子機器が所定の処理を実行中は電源をオフしないので、利用者が表示装置を閉じたときそのような処理を実行中であっても処理が中断されるようなことが生じない。
【０００６】
また、請求項２に記載の発明では、動作判断手段は、開閉検出手段により表示装置が閉じられたことが検出されたとき、電子機器が所定の処理動作中であるか否かを判断することを特徴とする請求項１に記載の電子機器を提供する。  
これにより、電子機器は表示装置が閉じられたときに所定の処理を実行中か否かを検出できる。つまり、表示装置の開閉により動作判断手段の動作を制御できる。
【０００７】
また、請求項３に記載の発明では、更に、動作判断手段は、電子機器が所定の外部装置に接続しているとき、外部装置との間でデータ送受信動作中であるか否かの動作状態を検出する手段を含み、電源オフ禁止手段は、動作判断手段によりデータ送受信動作中であると判断された場合に電源オフ手段を動作させないことを特徴とする請求項１又は２に記載の電子機器を提供する。  
これにより、電子機器は表示装置が閉じられたときに電源がオフとなるが、電子機器に接続されている外部装置が動作状態（動作中）の場合には電源はオフされないのでデータ送受信中に表示装置が閉じられてもデータの送受信が中断するようなことが生じない。
【０００８】
また、請求項４に記載の発明では、更に、動作判断手段は、電子機器がデータ出力を中断できない所定のデータ出力装置にデータを出力しているか否かの動作状態を検出する手段を含み、電源オフ禁止手段は、動作判断手段によりデータ出力中であると判断された場合に電源オフ手段を動作させないことを特徴とする請求項１乃至３のいずれか１項に記載の電子機器を提供する。  
これにより、電子機器は、表示装置が閉じられると電源がオフとなるが、内蔵プリンタのように電子機器がデータ出力を中断できない所定のデータ出力装置にデータを出力している場合には電源はオフされないので、例えば、画像の印刷出力中に表示装置が閉じられても印刷出力が中断するようなことが生じない。
【０００９】
また、請求項５に記載の発明では、更に、動作判断手段は、電子機器がデータをメモリに書き込み中であるか否かの動作状態を検出する手段を含み、電源オフ禁止手段は、動作判断手段によりデータ書き込み中であると判断された場合に電源オフ手段を動作させないことを特徴とする請求項１乃至４のいずれか１項に記載の電子機器を提供する。  
これにより、電子機器は表示装置が閉じられると電源がオフとなるが、データの書き込み中は電源がオフされないのでメモリに画像データを書き込み中に電源がオフされるようなことが生じない。
【００１０】
また、請求項６に記載の発明では、更に、動作判断手段は、所定の処理動作の終了を検出する動作終了検出手段を含み、動作終了検出手段により所定の処理動作の終了が検出された場合に電源オフ手段を動作させる電源オフ許可手段を備えたことを特徴とする請求項１乃至５のいずれか１項に記載の電子機器を提供する。  
これにより、電子機器の所定の処理動作が終了した時点で電源を自動的にオフするので、電源オンをしたまま上述したような動作が終了したことに利用者が気付かない場合でも電池の浪費を抑制することができる。
【００１１】
また、請求項７に記載の発明では、更に、電源を強制的にオフする電源強制オフ手段を備え、電源オフ禁止手段を動作させるか、該電源オフ禁止手段に代えて電源強制オフ手段を動作させるかを選択する選択手段を備えたことを特徴とする請求項１乃至６のいずれか１項に記載の電子機器を提供する。  
これにより、電子機器が中断できない所定の処理を実行中の場合であっても利用者の選択により強制的に電源オフさせるようにすることができるので、電子機器の処理動作を必要上強制的に終了させたい場合等に電源を強制オフさせてそのような処理動作を終了させることができる。
【００１２】
また、請求項８に記載の発明では、少なくとも表示装置がオペレータから見える方向、或いは見えない方向へ回転する機構を有しており、更に、表示装置がオペレータに見えない方向に向いているか否かを検出する方向検出手段を備え、電源オフ手段は、開閉検出手段により表示装置が電子機器本体に対し閉じられたことが検出され、且つ方向検出手段により該表示装置がオペレータに見えない方向に向いていることが検出されたときに電源をオフすることを特徴とする請求項１乃至７のいずれか１項に記載の電子機器を提供する。  
これにより、電子機器は、表示装置が利用者から表示が見えない向きになっているときに表示装置が閉じられると電源をオフすることができる。
【００１３】
また、請求項９に記載の発明では、更に、開閉検出手段により表示装置が閉じられたことが検出され、且つ動作判断手段により所定の処理動作中であると判断されたとき、告知する告知手段を備えたことを特徴とする請求項１乃至７のいずれか１項に記載の電子機器を提供する。  
これにより、電子機器は、表示装置が閉じられても、処理を中断できない処理を実行中の場合には電源をオフにしないが、表示部が閉じられた場合には処理を中断できない処理を実行中であることを利用者に告知するので、利用者にとって処理中であることが分かりやすい。
【００１４】
また、請求項１０に記載の発明では、少なくとも表示装置がオペレータから見える方向、或いは見えない方向へ回転する機構を有しており、更に、表示装置がオペレータに見えない方向に向いているか否かを検出する方向検出手段を備え、告知手段は、開閉検出手段により表示装置が電子機器本体に対し閉じられたことが検出され、且つ方向検出手段により該表示装置がオペレータに見えない方向に向いていることが検出され、且つ動作判断手段により所定の処理動作中であると判断されたとき、告知することを特徴とする請求項９に記載の電子機器を提供する。  
これにより、電子機器は、表示装置が閉じられていても、処理を中断できない処理を実行中の場合には電源をオフしないが、撮影者から表示が見えない向きになっている表示装置が閉じられた場合には処理を中断できない処理を実行中であることを利用者に告知するので、利用者にとって処理中であることが分かりやすいことから、例えば、外部装置へのデータ送受信中にＵＳＢケーブルを取り外して送受信を中断させてしまうようなことが生じない。
【００１５】
また、請求項１１に記載の発明では、電子機器本体に対して開閉可能な表示装置を備えた電子機器であって、表示装置が電子機器本体に対し閉じられたことを検出する開閉検出手段と、この開閉検出手段により表示装置が閉じられたことが検出されたときに電子機器の電源がオン状態であるかオフ状態であるかの電源状態を検出する電源状態検出手段と、この電源状態検出手段により電子機器の電源がオン状態であることが検出されたときに告知する告知手段と、を備えたことを特徴とする電子機器を提供する。  
これにより、電子機器は、表示装置が閉じられると電子機器の電源がオン状態かオフ状態かを検出してオン状態であるときにその旨を撮影者に告知するので、利用者にとって表示装置を閉じた状態においての電源オン／オフ状態が分かりやすい。
【００１６】
また、請求項１２に記載の発明では、少なくとも表示装置がオペレータから見える方向、或いは見えない方向へ回転する機構を有しており、更に、表示装置がオペレータに見えない方向に向いているか否かを検出する方向検出手段を備え、電源状態検出手段は、開閉検出手段により表示装置が電子機器本体に対し閉じられたことが検出され、且つ方向検出手段により該表示装置がオペレータに見えない方向に向いていることが検出されたときに電源がオン状態であるかオフ状態であるかの電源状態を検出することを特徴とする請求項１１に記載の電子機器を提供する。  
これにより、電子機器は、表示装置が閉じられ、且つ表示装置が撮影者から表示が見えない向きになっているときに電子機器の電源がオン状態かオフ状態かを検出してオン状態であるときにその旨を撮影者に告知するので、撮影者から表示が見えない向きになっている状態で表示装置を閉じた状態においての電源オン／オフ状態が分かりやすい。
【００１７】
また、請求項１３に記載の発明では、更に、電源状態検出手段は、電子機器が所定の外部装置に接続しているとき、外部装置との間でデータ送受信動作中であるか否かの動作状態を検出する手段を含み、告知手段は、電源状態検出手段によりデータ送受信動作中であることが検出されたときに告知することを特徴とする請求項１１又は１２に記載の電子機器を提供する。
これにより、表示装置を閉じた状態において外部装置との間でデータ送受処理動作中である場合はその旨を利用者に告知するので、利用者にとって外部装置と処理が行なわれていることが判りやすいことから、例えば、外部装置へのデータ送受信中にＵＳＢケーブルを取り外して送受信を中断させてしまうようなことが生じない。
【００１８】
また、請求項１４に記載の発明では、更に、外部装置の種類を判定する外部装置判定手段と、外部装置判定手段により、電子機器に接続されている外部装置がその動作時に、動作中であることが外見的に明らかな所定の外部装置の場合には、告知手段を動作させない告知禁止手段と、を備えたことを特徴とする請求項１３に記載の電子機器を提供する。  
これにより、電子機器に接続され、動作中の外部装置が画像プリント装置や画像表示装置の場合は告知動作を行わないが、これらは一見して動作中か否かが利用者に明らかであることから問題は生じない。例えば、画像プリント装置は音や紙送り状態から明らかであり、画像表示装置の場合はモニタに画像が表示さることから明らかである、ことにより問題は生じない。
【００１９】
また、請求項１５に記載の発明では、更に、電源状態検出手段により電子機器の電源状態がオン状態からオフ状態に変化したときが検出されたときに告知手段による告知動作を停止する告知停止手段を備えたことを特徴とする請求項１１乃至１４のいずれか１項に記載の電子機器を提供する。  
これにより、電子機器の電源状態がオン状態からオフ状態に変化したときにも告知動作をおこなうと電池を消耗するが告知動作を行わないので、電池の消耗を抑制できる。
【００２０】
また、請求項に１６記載の発明では、告知手段は、表示装置が閉じられた場合に該表示装置によって覆われない位置に設けられた動作確認用点灯／表示手段を含むことを特徴とする請求項１１乃至１５のいずれか１項に記載の電子機器を提供する。  
これにより、利用者は表示装置が閉じられていても電源のオンオフ状態を視覚的に容易に認識できる。
【００２１】
また、請求項１７に記載の発明では、電子機器本体に対して開閉可能な表示装置を備えた電子機器のコンピュータに、表示装置が電子機器本体に対し閉じられたことを検出する機能と、表示装置が閉じられたことが検出されたときに電子機器が所定の処理動作中であるか否かを判断する機能と、所定の処理動作中でないと判断されたときに電子機器の電源をオフする機能と、を実行させるプログラムを提供する。  
これにより、電子機器は、処理を中断できない処理を実行中の場合を除いて表示装置が閉じられると電源をオフにできるが、電子機器が処理を中断できない処理を実行中は電源をオフにしない。
【００２２】
また、請求項１８に記載の発明では、電子機器本体に対して開閉可能な表示装置を備えた電子機器のコンピュータに、表示装置が電子機器本体に対し閉じられたことを検出する機能と、表示装置が閉じられたことが検出されたときに電子機器の電源がオン状態であるかオフ状態であるかの電源状態を検出する機能と、電子機器の電源がオン状態であることが検出されたときその旨を告知する機能と、を実行させるプログラムを提供する。
これにより、表示装置が閉じられたときの電子機器の電源がオン状態の場合にはその旨
を利用者に告知できる。
【発明の効果】
【００２３】
本発明により、電子機器本体に対して開閉可能な表示装置を備えた電子機器は、表示装置を閉じると電源をオフとし、電子機器が処理を中断できない処理を実行中は電源をオフしないので、表示装置を閉じたときそのような処理を実行中であっても処理が中断されるようなこと、が生じない。また、表示装置が閉じているときに電子機器の電源がオン状態の場合にはその旨を撮影者に告知するので、撮影者にとって電子機器の電源のオン／オフ状態を認識しやすい。
【発明を実施するための最良の形態】
【００２４】
図１は本発明に係る電子機器の一例としてのデジタルカメラの一実施例の外観を示す斜視図であり、図１で符号１はデジタルカメラ、符号２は撮像レンズを含む光学系を格納し、ズーム時に前後に伸縮可能に構成された鏡筒部、符号３はモードダイアル、符号４は表示部５に設けられている液晶モニタ画面、符号５はＸ軸及びＹ軸方向に回動可能な表示部、符号６はＹ軸回動部、符号７は表示部５が閉じられた際にカメラ本体の動作確認用の点灯／表示を行うＬＥＤ、符号８はシャッターキー、符号９はパーソナルコンピュータ（以下、パソコン）やクレードル等の外部装置とＵＳＢ接続する際にカメラ側のＵＳＢケーブル端子を接続する場合に用いるＵＳＢ端子接続部、符号５２はオン／オフ強制スイッチを示す。  なおＬＥＤ７は回転式表示部５（以下、単に「表示部５」と記す）が閉じられた際に点灯／表示状態が視認可能なように閉じられた表示部５によって隠されない位置（図１の例ではカメラ本体の背面の上部）に設けられる。  
また、オン／オフ強制スイッチ５２は図示の例では表示部５の上面に設けられた左右にスライドするスライドスイッチからなり、後述するような表示部５が閉じられても電源オンになるときでもオン／オフ強制スイッチ５２が強制オフ操作（図示の例では左側にスライド）されていると電源はオフとされる。なお、オン／オフ強制スイッチ５２はスライドスイッチに限定されず、例えば、オン／ボタンスイッチでもよく、配設位置も表示部５の上面に限定されない。つまり、操作しやすい位置にあればよい。
【００２５】
図２は、図１に示したデジタルカメラの電子回路構成の一実施例を示す図である。図２で、デジタルカメラ１は、表示部５、基本モードである撮影モードにおいてズームレンズやフォーカスレンズを移動させるモータ１１、撮像レンズ２を構成するレンズ光学系１２、撮像素子であるＣＣＤ１３、タイミング発生器（ＴＧ）１４、垂直ドライバ１５、サンプルホールド回路（Ｓ／Ｈ）１６、Ａ／Ｄ変換器１７、カラープロセス回路１８、ＤＭＡ（Direct Memory Access）コントローラ１９、ＤＲＡＭインターフェイス（Ｉ／Ｆ）２０、ＤＲＡＭ２１、制御部２２、ＶＲＡＭコントローラ２３、ＶＲＡＭ２４、デジタルビデオエンコーダ２５、ＪＰＥＧ回路２７、保存メモリ２８、ＬＥＤ部２９、キー入力部３０、表示部５の開閉を検出する開閉検出部３１、表示部５のＹ軸回転角を検出するＹ軸回転角検出部３２、パソコンやクレードル等の外部装置とＵＳＢ接続した際にデータの授受を行うＵＳＢ部３３を備えている。なお、モータ１１〜カラープロセス回路１８は本発明において撮像部に相当する。また、図示していないがデジタルカメラ１は画像等を印刷出力するプリンタ及び印刷制御を行うプリンタドライバを備えるようにしてもよい。
【００２６】
表示部５は、図示しないＸ軸やＹ軸回動部６等のヒンジ機構によりＸ軸及びＹ軸方向に回動可能であり、撮影モード時にはモニタ表示部（電子ファインダ）として機能するもので、デジタルビデオエンコーダ２５からのビデオ信号に基づいた表示を行うことで、その時点でＶＲＡＭコントローラ２３から取込んでいる画像情報に基づく画像をリアルタイムに液晶モニタ画面４に表示することになる。
【００２７】
撮影モードでのモニタリング状態においては、モータ（Ｍ）１１の駆動によりズーム動作や自動合焦動作が行われ、上記撮影レンズ２を構成する光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１画面分出力する。  
ＣＣＤ１３は被写体の二次元画像を撮像する固体撮像デバイスであり、典型的には毎秒数十フレームの画像を撮像する。なお、撮像素子はＣＣＤに限定されずＣＭＯＳ（Complementary Metal Oxide Semiconductor）などの固体撮像デバイスでもよい。
【００２８】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画像補間処理及びγ補正処理を含むカラープロセス処理が行われて、デジタル値の輝度信号Ｙ及び色差信号Ｃｂ、Ｃｒが生成され、通常撮影モードではＤＭＡ（Direct Memory  Access）コントローラ１９に出力される。  
【００２９】
ＤＭＡコントローラ１９は、通常撮影モードではカラープロセス回路１８の出力する輝度信号Ｙ及び色差信号Ｃｂ、Ｃｒを、同じくカラープロセス回路１８からの複合（composite）同期信号、メモリ書き込みイネーブル信号、及びクロック信号を用いてＤＲＡＭインターフェイス（Ｉ／Ｆ）２０を介してバッファメモリとして使用されるＤＲＡＭ２１にＤＭＡ転送する。
【００３０】
制御部２２は、このデジタルカメラ１全体の制御動作を司るものであり、ＣＰＵ若しくはＭＰＵ（以下、ＣＰＵ）と、後述するように、電源オン／オフ制御、デジタルカメラ１の動作状態の告知制御等を含む該ＣＰＵで実行される動作プログラムを固定的に記憶した
フラッシュメモリ等のプログラム格納メモリ、及びワークメモリとして使用されるＲＡＭ等により構成され、上記輝度及び色差信号のＤＲＡＭ２１へのＤＭＡ転送終了後に、この輝度及び色差信号をＤＲＡＭインターフェイス２０を介してＤＲＡＭ２１から読出し、ＶＲＡＭコントローラ２３を介してＶＲＡＭ２４に書込む。
【００３１】
制御部２２は、デジタルカメラの動作状態をデジタルカメラ１に備えられたステータス情報を参照して検出することができる。  
ステータス情報は数十バイトの情報領域からなり、例えば、データのＶＲＡＭ２４への書き込み状態、保存メモリ２８への書き込み／読み出し状態、デジタルカメラがプリンタを備えている場合のプリンタへのデータの出力状態、外部機器との接続状態、電源状態、・・、等がそれぞれの動作時にそれぞれ書き込まれる。
【００３２】
また、制御部２２は、開閉検出部３１及びＹ軸回転角検出部３２からの検出値とＵＳＢ部３３のステータス情報を基にＬＥＤ部２９に制御信号を送り、主電源及び表示電源のオン／制御を行うと共にＬＥＤ部２９にＬＥＤ６の点灯（又は表示）制御を行わせる。  
なお、制御部２２はオン／オフ強制スイッチ５２（図１参照）が強制オフ操作されていることを検出すると表示部５が閉じられても電源オンになるときでも電源をオフとする。
【００３３】
制御部２２は、また、キー入力部３０からの状態信号に対応してフラッシュメモリ等のプログラム格納用メモリに格納されている各モードに対応の処理プログラムやメニューデータを取り出して、デジタルカメラ１の他の各機能の実行制御、例えば、撮像や記録画像の再生機能の実行等を行なう他、機能選択時の機能選択メニューの表示制御等を行う。
【００３４】
デジタルビデオエンコーダ２５は、上記輝度及び色差信号をＶＲＡＭコントローラ２３を介してＶＲＡＭ２４から定期的に読み出し、これらのデータを基にビデオ信号を生成して表示部５に出力する。
【００３５】
制御部２２はシャッターキー８が半押し操作されるとモータ１１に駆動制御信号を送ってレンズ光学系１２の撮像レンズを移動させて合焦（ＡＦ）動作を行わせ、シャッターキー８の全押しがあると撮影を行う（つまり、その時点でＣＣＤ１３から取込んでいる１画面分の輝度及び色差信号のＤＲＡＭ２１へのＤＭＡ転送の終了後、直ちにＣＣＤ１３からのＤＲＡＭ２１への経路を停止し、記録保存の状態に遷移する）。
【００３６】
この保存記録の状態では、制御部２２がＤＲＡＭ２１に書込まれている１フレーム分の輝度及び色差信号をＤＲＡＭインターフェイス２０を介してＹ、Ｃｂ、Ｃｒの各コンポーネント毎に縦８画素×横８画素の基本ブロックと呼称される単位で読み出してＪＰＥＧ（Joint Photograph cording Experts Group）回路２７に書込み、このＪＰＥＧ回路２７でＡＤＣＴ（Adaptive Discrete Cosine Transform：適応離散コサイン変換）、エントロピ符号化方式であるハフマン符号化等の処理によりデータ圧縮する。  
そして得た符号データをＪＰＥＧ回路２７から読出し、１画像のデータファイルとしてデジタルカメラ１の記録媒体である保存メモリ２８に記録し、１フレーム分の輝度及び色差信号の圧縮処理及び保存メモリ２８への圧縮データの書込み終了に伴って、制御部２２はＣＣＤ１３からＤＲＡＭ２１への経路を再び起動する。
【００３７】
また、基本モードである再生モード時には、制御部２２が保存メモリ２８に記録されている画像データを選択的に読出し、ＪＰＥＧ回路２７で画像撮影モード時にデータ圧縮した手順とまったく逆の手順で圧縮されている画像データを伸張し、伸張した画像データをＶＲＡＭコントローラ２３を介してＶＲＡＭ２４に展開して記憶させた上で、このＶＲＡＭ２４から定期的に読出し、これらの画像データを元にビデオ信号を生成して表示部５の液晶モニタ画面４に再生画像を出力（＝表示）させる。
【００３８】
ＬＥＤ部２９は、表示部５が閉じられた際に制御部２２の制御により、カメラ本体の動作確認用の点灯／表示を行うＬＥＤ６の点灯／表示制御を行う。
【００３９】
キー入力部３０は、上述したモードダイヤル３、シャッターキー８のほか、図示しないズームキー、メニューキー、カーソルキー、ＳＥＴキーを含む各種キーから構成され、それらのキー操作に伴う信号は直接制御部２２に送出される。
【００４０】
モードダイアル３は各種モードを選択する際に操作するダイヤルキーである。なお、モードの選択をメニュー選択により行うようにしてもよい。
【００４１】
シャッターキー８は、撮影時にレリーズ操作を行うもので、２段階のストロークを有しており、１段目の操作（半押し状態）でオートフォーカス（ＡＦ）と自動露出（ＡＥ）を行わせるための合焦指示信号を発生し、２段目の操作（全押し状態）で撮影処理を行うための撮影指示信号を発生する。
【００４２】
ズームレバーは、ズーム操作に用いられ、デジタルズームの場合はズームレバー７の操作に対応してズーム値が決定されるが、実際の画角は変化せず、液晶モニタ画面４にはズーム値に応じたサイズの画像がトリミングされて表示される。また、光学ズームの場合はズームレバー７の操作に対応してズームレンズ（可変焦点距離レンズ）がワイド側又はテレ側に移動され、ズームレバーの操作に対応してズーム値が決定され、ズーム値の変化に追従して画角が実際に変化し、液晶モニタ画面には広角画像又はテレ画像が表示される。また、メニューキー（図示せず）は、その時点でのメニューを表示しようとする際に操作するキーであり、メニューキーを押すとその時点で設定可能な選択メニューが表示される。カーソルキーは、モード設定やメニュー選択等に際して液晶モニタ画面４に表示されるメニューやアイコン等をカーソルでポイント（指定）する際に操作するキーであり、カーソルキーの操作によりカーソルを上下又は左右に移動させることができる。また、ＳＥＴキーはカーソルキーによってカーソル表示されている項目を選択設定若しくは確認する際に押すキーである。
【００４３】
開閉検出部３１は、表示部５の開閉を検出する開閉検出スイッチ１０を含み、これらの検出値を制御部２２に送出する。開閉検出スイッチ１０はカメラ本体側の背面又は表示部５の液晶モニタ画面４の画面外縁側に設けられている（図８参照）。
【００４４】
Ｙ軸回転検出部３２は、カメラ本体に対して表示部５をＹ軸方向に回動自在とするＹ軸回動部６（図１）の回転角を検出するＹ軸回転角検出スイッチ５１を含み、検出値を制御部２２に送出する。Ｙ軸回転角検出スイッチ５１はＹ軸回動部６の近傍に設けられている（図８参照）。
【００４５】
ＵＳＢ部３３は、外部装置とのデータの授受を行うインターフェイス部であり、カメラ本体がＵＳＢ端子接続部９に接続されたＵＳＢケーブルを介してパーソナルコンピュータ（以下、パソコン（図１１、図１２参照））や画像プリンタ等の画像プリント装置（図１３、図１４参照）、或いはＴＶモニタ等の画像表示装置（図１５、図１６参照）やクレードルのような外部装置と接続した際にその外部装置と制御データを授受すると共に画像データ等のデータを送受信する。ＵＳＢ部３３はＵＳＢケーブルを介して外部装置に接続した際に授受する制御データにより、例えば、相手側の外部装置がパソコンか、画像プリント装置か、画像表示装置か、クレードルか等の機種判定コードを取得してＲＡＭ（ＵＳＢバッファがある場合はＵＳＢバッファ）の所定のエリアに確保されている機種判定コード領域の内容を書き換えて制御部２２で参照可能とする。
【００４６】
また、ＵＳＢ部３３はＵＳＢケーブルを介して外部装置と接続している際に、外部装置とのデータの送受信を行っているかいないかの状態（ステータス）を示す状態フラグ（動作状態であればフラグ値＝「１」、非動作状態ならフラグ値＝「０」）を有し、制御部２２で参照可能とする。状態フラグ記憶領域も機種判定コード同様にＲＡＭ（ＵＳＢバッファがある場合はＵＳＢバッファ）の所定のエリアに確保されている。
【００４７】
図３は表示部５の回転状態と本体の電源状態及び表示状態との関係の一実施例を示す対応表であり、表示部５のＸ軸の回転角度とＹ軸の回転角度に対応した、本体電源オン／オフ、表示電源オン／オフ、ＯＳＤ（On Screen Display）オン／オフ等の電源状態や表示状態が対応付けられている。
【００４８】
図４は表示部５の開閉とカメラ本体の電源状態等の説明図であり、液晶モニタ画面４が撮影者から見えない方向にあって表示部５がカメラ本体の背面側に閉合わさった状態、つまり、図３でＸ軸の回転角が０°（ゼロ）で且つＹ軸の回転角が９０°の場合の状態を示す。この場合にはカメラ本体の電源が自動的にオフにされ、また、液晶表示モニタ４の電源（以下、表示電源）もオフとなる。
【００４９】
なお、後述するように、表示部５が見えない向きで閉じていても所定条件下、例えば、カメラ本体がＵＳＢケーブルを介してパソコン（図１１、図１２参照）や画像プリント装置（図１３、図１４参照）或いは画像表示装置（図１５、図１６参照）やクレードルのような外部装置と接続しており、且つステータスが「動作状態」（動作中を意味する；ステータスフラグ＝「１」）の場合や、デジタルカメラ１が保存メモリ２８に画像データを書き込み中の場合や、デジタルカメラ１がプリンタを備えている場合にプリンタが画像等を印刷中の場合は電源をオフしないようにできる（図９参照）。また、所定条件下であっても、撮影者の選択により電源を強制的にオフにすることもできる。
また、表示部５が見えない向きで閉じているにもかかわらずに電源がオフしていないことを報知できるようにＬＥＤ７を点灯（又は点滅）させることもできるし、外部装置の種類により動作しているか否かが一見して明らかな外部装置についてはＬＥＤ７を点灯（又は点滅）しないようにすることもできる（図９参照）。
【００５０】
図５は表示部５の開閉（Ｘ軸の回転角）とカメラ本体の電源状態等の説明図であり、液晶モニタ画面４が表示部５を閉じた状態では撮影者から見えない方向にある位置を０°として、１８０°開放される状態の場合、Ｘ軸の回転角が０°以上１０°未満の場合、１０°の場合、１０°以上１８０°以下の場合の状態について段階的に示す。なお、図示の例ではＹ軸の回転角（液晶モニタ画面４が真下を向いた水平状態での表示部５の角度を０°とする）は９０°である。
【００５１】
Ｙ軸の回転角が９０°でＸ軸の回転角が０°以上１０°未満の場合、つまり開閉検出スイッチ１０がオフ状態の場合は主電源はオフのままであり、表示部５の電源（以下、表示電源）もオフのままであるが、Ｘ軸の回転角が１０°になると、すなわち開閉検出スイッチ１０がオンになると、主電源がオンとされ、同時に表示電源もオンとなり、その時点でＬＥＤ７が点灯（又は点滅）していたときは消灯される。  
そしてＸ軸の回転角が１０°以上１８０°以下のときは主電源オン、表示電源オンの状態を保ち、液晶モニタ画面４に表示されるスルー画像は（上下反転や左右反転なしの）正転表示となる。また、ＯＳＤ表示はオンとなる。
【００５２】
図６は表示部５のＹ軸の回転角と液晶モニタ画面４の向き及び表示画像の状態等の説明図であり、Ｘ軸の回転角が１８０°開かれた状態の表示部５をカメラの左面側から見た状態を示す。
【００５３】
Ｙ軸の回転角（水平角度を０とする）が０°〜９０°の場合は、表示電源オン、スルー画像は正転表示、ＯＳＤ表示オンとなる。  
そしてＹ軸の回転角が９０°以上２５０°以下ではスルー画像は正転表示され、ＯＳＤも表示オンで正転表示となる。
【００５４】
また、Ｙ軸の回転角が２５０°を超えると液晶モニタ画面４は撮影レンズの正面方向と同じ向きとなるので、そのままでは見かけ上、スルー画像は天地が逆で左右が逆の画像となるが、Ｙ軸の回転角が２５０°を越えた時点でデータが上下回転（１８０°回転）され且つ左右反転されて表示されるのでＹ軸の回転角が２５０°以上２７０°未満ではスルー画像は見かけ上、正しい向きの画像として見える。なお、ＯＳＤは表示オンで正転表示である。そして、Ｙ軸の回転角が２７０°になると液晶モニタ画面４は撮影レンズの正面方向と同じ向きとなる。
【００５５】
図７は表示部５の開閉（Ｘ軸の回転角）とカメラ本体の電源状態等の説明図であり、図示のように液晶モニタ画面４がＸ軸の回転角が０°以上９０°未満では背面側から見え、９０°以上では背面側から見えない向きの場合のとき、Ｘ軸の回転角が０°以上１０°未満の場合、１０°の場合、１０°以上１８０°以下の場合の状態について段階的に示す。なお、図示の例ではＹ軸の回転角（水平角度を０とする）は２７０°である。
【００５６】
まず、Ｙ軸の回転角が２７０°でＸ軸の回転角が０°〜１０°未満の場合には図３に示すように主電源はオンとなり、表示電源もオンであり、ＯＳＤは表示オンで正転表示となる。また、スルー画像は１８０°回転して（上下逆にして）表示される。  
Ｘ軸の回転角が１０°、すなわち開閉検出スイッチ１０がオンになると、スルー画像データが上下回転（１８０°回転）され且つ左右反転されて表示され、Ｘ軸の回転角が１０°以上１８０°以下のときは主電源オン、表示電源オンであり、スルー表示画像は１８０度回転され且つ左右反転されて表示されて表示される。したがって、スルー画像は見かけ上、正しい向きの画像として見える。なお、ＯＳＤは表示オンで正転表示である。
【００５７】
図８は表示部５の開閉検出とＹ軸回りの回転角検出等の説明図であり、図８（ａ）は表示部５が１８０°開かれた状態を示し、図８（ｂ）は表示部５が閉じられた状態を示す。
【００５８】
図８（ａ）で、符号１０は開閉検出スイッチを示し、符号５１はＹ軸回転角検出スイッチを示す。  開閉検出スイッチ１０はカメラ本体の背部に設けられており表示部５の開閉を検出し、検出信号を制御部２２に送出する。  
開閉検出スイッチ１０は、本実施形態では、表示部５によって押し込まれると、つまり、表示部５が閉じられるとオフ（ＯＦＦ）となり、開放されると（Ｘ軸の回転角が１０°に達すると）オン（ＯＮ）となるオン／オフスイッチからなる。なお、開閉検出スイッチ１０を表示部５によって押し込まれるとオンとなり、開放されるとオフとなるように構成してもよい。
【００５９】
また、開閉検出スイッチ１０は表示部５から開放された状態で表示部５の回転角（表示部５とカメラ本体の背部となす角度）が１０°となるように所定の位置に設けるようにすることにより、Ｘ軸の回転角が０°〜１０°の場合には開閉検出スイッチ１０をオフにしておくことができる。このように構成することにより、Ｘ軸の回転角が０°を超え〜１０°以下の場合にも図８（ｂ）に示すように表示部５が閉じられている場合（Ｘ軸の回転角度＝０°）と同様の主電源や表示電源等の電源状態やＬＥＤの点灯（点滅）／消灯状態を維持できる。  なお、表示部５はＹ軸に関して０°から２７０°まで回転可能であるが、実際にはＸ軸の周りに０°から１８０°を回動範囲とする（つまり、表示部５が１８０°までを限度として開くようにする）ことが望ましい。
【００６０】
また、Ｙ軸回転角検出スイッチ５１は、表示部５のＹ軸方向の回転を検出し、検出信号を制御部２２に送出する。なお、表示部５はＹ軸周りに回転自在である。
【００６１】
図９は表示部５の開閉に伴う電源オン／オフ制御動作及びＬＥＤ点灯（点滅）／消灯制御の一実施例を示すフローチャートであり、このフローチャートはデジタルカメラ１に本願発明の表示部５の開閉に伴う電源オン／オフ制御及びＬＥＤ点灯（点滅）／消灯制御を実現させるためのプログラムを説明するためのものである。
【００６２】
以下に示す処理は基本的に制御部２２が予めフラッシュメモリ等のプログラムメモリに記憶されたプログラムに従って実行する例で説明するが、全ての機能をプログラムメモリに格納する必要はなく、必要に応じて、その一部若しくは全部をネットワークを介して受信して実現するようにしてもよい。以下、図１〜図９及び後述する図１０〜図１６に基いて説明する。また、この例ではデジタルカメラ１はプリンタ（図示せず）を備えた構成とするが、プリンタを備えていない場合はステップＳ５を省略するものとする。
【００６３】
撮影者は所望の時期に、デジタルカメラ１の表示部５のＸ軸に沿った開閉を行ったり、Ｙ軸に沿った回転を行って液晶モニタ画面４の向きを閉じた状態で撮影者から見えない向きにしたり、見える向きにしたり、液晶モニタ画面４の上面に設けられているオン／オフ強制スイッチ５２（初期値＝オン）を操作したりするので（ステップＳ０）、制御部２２は、先ず、開閉検出部３１からの信号を基に開閉検出スイッチ１０がＯＮとなったかＯＦＦのままかを調べ、開閉検出スイッチ１０がＯＮの場合、つまり、表示部５が閉じられていない場合はステップＳ０に戻り、開閉検出スイッチ１０がＯＦＦの場合、つまり、閉じられている場合はステップＳ２に進む（ステップＳ１）。
【００６４】
次に、制御部２２はＹ軸回転角検出部３２からの信号を基にＹ軸回転角検出スイッチ５１がＯＮとなったかＯＦＦのままかを調べ、Ｙ軸回転角検出スイッチ５１がＯＮの場合、つまり、表示部５がＹ軸に沿って回転され、閉じた状態で表示内容が見える向きの場合（Ｙ軸の回転角が２５０°〜２７０°の場合）はステップＳ０に戻り、Ｙ軸回転角検出スイッチ５１がＯＦＦの場合、つまり、表示部５がＹ軸に沿って回転され、閉じた状態で表示内容が見えない向きの場合（Ｙ軸の回転角が０°〜２５０°の場合）はステップＳ３に進む（ステップＳ２）。
【００６５】
制御部２２は上記ステップＳ０でオン／オフ強制スイッチ５２がオフにされていたかオン（初期値）のままかを調べ、オフの場合はステップＳ４に進み、オンの場合はステップＳ８に進む（ステップＳ３）。
【００６６】
次に、制御部２２はＵＳＢ部３３で保持された状態フラグ及びその内容を調べ、状態フラグの値が「１」（動作状態）で且つ機種判定コードが外部装置のコードであれば接続されている外部装置との間でＵＳＢ接続によるデータ送受信中と判定してステップＳ９に進み、状態フラグの値が「０」であれば非動作状態としてステップＳ５に進む（ステップＳ４）。
【００６７】
また、制御部２２はプリンタの状態を調べ、印刷中の場合はステップＳ１２に進み、そうでない場合はステップＳ６に進む（ステップＳ５）。
【００６８】
制御部２２は保存メモリ２８に画像データ等を書き込み中か否かを調べ、保存メモリ２８に書き込み中の場合はステップＳ１２に進み、書き込み中でない場合はステップＳ７に進む。これにより、表示部５が撮影者に見えない向きに閉じられていて上記ステップＳ４またはステップＳ５若しくはこのステップＳ６の動作以外の動作をしている場合若しくは全く動作をしていない場合はステップＳ７に遷移することとなる（ステップＳ６）。  
【００６９】
制御部２２は図示しない電源制御部に制御信号を送り、表示電源及び主電源をオフとして処理を終了する（ステップＳ７）。  
【００７０】
オン／オフ強制スイッチ５２がオンのときは、制御部２２はＬＥＤ部２９に制御信号を送り、動作確認用ＬＥＤ７を赤色点灯（或いは点滅）させてからステップ７に進む。つまり、オン／オフ強制スイッチ５２がオンのときは電源が強制オフされることとなる（ステップＳ８）。  
【００７１】
上記ステップＳ４でデジタルカメラ１と外部装置の間でデータ送受信中の場合は、機種判定コードを調べ、接続している外部装置が画像プリンタやＴＶモニタ等のような撮影者が一見して動作中か否かがわかるような機種の場合はステップＳ１０に進み、それ以外の機種の場合はステップＳ１１に進む（ステップＳ９）。
【００７２】
制御部２２はＲＡＭの所定のエリアに確保されている告知フラグの値を「１」にしてステップＳ１１に進む（ステップＳ１０）。
【００７３】
制御部２２はＲＡＭの所定のエリアに確保されている告知フラグの値を調べ、告知フラグの値が「１」の場合にはステップＳ１３に進み、そうでない場合はステップＳ１２に進んで（ステップＳ１１）、ＬＥＤ部２９に制御信号を送り、動作確認用ＬＥＤ７を緑色点灯（或いは点滅）させ、ステップＳ１３に進む（ステップＳ１２）。
【００７４】
制御部２２はデジタルカメラ１にＵＳＢ接続されている外部装置若しくはデジタルカメラ１自体が動作状態（処理中）であるか否かを状態フラグ等を調べて判定し、処理中である場合、すなわち、ステップＳ４〜Ｓ６のいずれかにおいて処理中であると判定された処理の動作中はその動作が終わるまでステップＳ１２による動作確認用ＬＥＤの緑色点灯（或いは点滅）動作を継続し、処理の完了が検出されるとステップＳ７に進む（ステップＳ１３）。
【００７５】
上記図９のフローチャートに示した動作により、デジタルカメラ１は表示部５が撮影者から表示が見えない向きになっている表示部５を閉じると電源がオフとなるが、デジタルカメラ１が所定の動作状態（動作中）の場合には電源はオフされないので、表示部５が閉じられた際に外部装置との間のデータ送受信動作またはデジタルカメラ１側の動作が中断するようなこと、例えば、データ送受信中に撮影者から表示が見えない向きになっている表示部５が閉じられるとデータの送受信が中断するようなことや、デジタルカメラ１が保存メモリ２０に画像データを書き込み中に電源がオフされるようなこと、が生じない。
【００７６】
また、表示部５が閉じられていても電源がオンのときはＬＥＤが点灯（点滅）するので、撮影者にとって外部装置とのデータ送受信中か、デジタルカメラ１に内蔵されたプリンタが印刷出力中か、画像データの書き込み中等の処理を中断できない処理を実行していることがわかることから、表示部５が閉じている場合に電源がオフされないことを故障等と誤認したり、外部装置へのデータ送受信中にＵＳＢケーブルを取り外してしまうようなことが生じない。
【００７７】
また、デジタルカメラ１に接続され、動作中の外部装置が画像プリント装置や画像表示装置の場合はＬＥＤ点灯（点滅）を行わないが、これらは一見して動作中か否かが明らかであること、例えば、画像プリント装置は音や紙送り状態から明らかであり、画像表示装置の場合はモニタに画像が表示さることから明らかであること、により問題は生じない。
【００７８】
また、オン／オフ強制スイッチを設けたことにより、表示部５を閉じたときにデジタルカメラ１が所定の動作状態であっても撮影者の選択により電源強制的にオフさせるようにすることができる。なお、実施例ではオン／オフ強制スイッチ５２を設けるようにしたが、オン／オフ強制スイッチ５２を設けず、デジタルカメラのモード選択画面等で、撮影者は表示部５を閉じたときにデジタルカメラ１が所定の動作状態であった場合に電源をオンしたままとするか、強制的にオフするかを選択できるようにしてもよい。
【００７９】
図１０はＬＥＤ点灯（点滅）制御動作の一実施例を示すフローチャートであり、以下に示す処理は基本的に制御部２２が予めフラッシュメモリ等のプログラムメモリに記憶されたプログラムに従って実行する例で説明するが、全ての機能をプログラムメモリに格納する必要はなく、必要に応じて、その一部若しくは全部をネットワークを介して受信して実現するようにしてもよい。
【００８０】
図１０で、制御部２２は先ず、開閉検出部３１からの信号を基に開閉検出スイッチ１０がＯＮとなったかＯＦＦのままかを調べ、開閉検出スイッチ１０がＯＮの場合、つまり、表示部５が閉じられていない場合はステップＴ５に進み、開閉検出スイッチ１０がＯＦＦの場合、つまり、閉じられている場合はステップＴ２に進む（ステップＴ１）。
【００８１】
次に、制御部２２はＹ軸回転角検出部３２からの信号を基にＹ軸回転角検出スイッチ５１がＯＮとなったかＯＦＦのままかを調べ、Ｙ軸回転角検出スイッチ５１がＯＮの場合、つまり、表示部５がＹ軸に沿って回転され、閉じた状態で表示内容が見える向きの場合（Ｙ軸の回転角が２５０°〜２７０°の場合）はステップＴ５に進み、Ｙ軸回転角検出スイッチ５１がＯＦＦの場合、つまり、表示部５がＹ軸に沿って回転され、閉じた状態で表示内容が見えない向きの場合（Ｙ軸の回転角が０°〜２５０°の場合）はステップＴ３に進む（ステップＴ２）。
【００８２】
制御部２２は、現在のステータスを調べ、電源ステータスが電源オフ状態の場合はステップＴ５に進み、電源ステータスが電源オン状態の場合はステップＴ４に進む。なお、電源ステータスは図示しない電源制御部から制御部２２に送られる状態フラグにより判定できる（ステップＴ３）。
【００８３】
制御部２２は、ＬＥＤ部２９に制御信号を送り、動作確認用ＬＥＤ７を点灯（或いは点滅）させ、ステップＴ１に戻る（ステップＴ４）。
【００８４】
上記ステップＴ３で電源オン状態の場合には制御部２２は、ＬＥＤ部２９に制御信号を送り、動作確認用ＬＥＤ７を消灯させ、ステップＴ１に戻る（ステップＴ５）。
【００８５】
図１１はデジタルカメラ１と外部装置との接続外観図であり、デジタルカメラ１とパソコン１００がＵＳＢケーブル９０で接続されている様子を示す。また、図１２はデジタルカメラ１とパソコン１００とのＵＳＢ接続の一実施例を示すブロック図である。
【００８６】
図１２で、デジタルカメラ１はパソコン１００とＵＳＢケーブル９０で接続され、パソコン１００から送信されるデータ送信要求（機種コードを含む）があると動作状態となり、ＵＳＢ部３３は状態フラグを「１」（動作状態）とすると共にデータ送信要求中の機種コードを機種判別コードとして保持する。制御部２２は機種判別コードを調べてパソコンと判定すると、保存メモリ２８に記録されている画像データ等のデータをＵＳＢ部３３及びＵＳＢケーブル９０を介してパソコン１００に送信する。また、要求されたデータの送信が終わるか、パソコン１００から送信終了要求又は送信中断要求があると送信を終了し、ＵＳＢ部３３は状態フラグを「０」（非動作状態）とする。
【００８７】
パソコン１００側では、制御部１０１がキー入力部１０６からのユーザの指示操作に基づき送信要求をＵＳＢインターフェイス１０２を介してデジタルカメラ１に送り、デジタルカメラ１からＵＳＢケーブル９０及びＵＳＢインターフェイス１０２を介して受信した画像データ等のデータを保存メモリ１０４に記録する。ユーザ指示によるデータの受信／記録が完了すると送信終了要求をデジタルカメラ１に送信する。また、故障やユーザ指示若しくはプログラムによる中断事由が生じた場合は送信中断要求をデジタルカメラ１に送信する。
【００８８】
図１３はデジタルカメラ１と外部装置との接続外観図であり、デジタルカメラ１と画像プリンタ２００がＵＳＢケーブル９０で接続されている様子を示す。また、図１４はデジタルカメラ１と画像プリンタ２００とのＵＳＢ接続の一実施例を示すブロック図である。
【００８９】
図１４で、デジタルカメラ１は画像プリンタ２００とＵＳＢケーブル９０で接続され、画像プリンタ２００から送信されるデータ送信要求（機種コードを含む）があると動作状態となり、ＵＳＢ部３３は状態フラグを「１」（動作状態）とすると共にデータ送信要求中の機種コードを機種判別コードとして保持する。制御部２２は機種判別コードを調べて画像プリンタと判定すると保存メモリ２８に記録されている画像データ等のデータをＵＳＢ部３３及びＵＳＢケーブル９０を介して画像プリンタ２００に送信する。また、要求されたデータの送信が終わるか、画像プリンタ２００から送信終了要求又は送信中断要求があると送信を終了し、ＵＳＢ部３３は状態フラグを「０」（非動作状態）とする。
【００９０】
画像プリンタ２００側では、制御部２０１が操作部２０６からのユーザの指示操作に基づき送信要求をＵＳＢインターフェイス２０２を介してデジタルカメラ１に送り（但し、デジタルカメラ１側のキー入力部３０からのユーザの指示操作でもよい）、デジタルカメラ１からＵＳＢケーブル９０及びＵＳＢインターフェイス２０２を介して受信した画像データ等のデータをバッファメモリ２０３に一時記憶したあとプリンタ部２０４で印刷出力する。ユーザ指示によるデータの受信／印刷が完了すると送信終了要求をデジタルカメラ１に送信する。また、故障やユーザ指示若しくはプログラムによる中断事由が生じた場合は送信中断要求をデジタルカメラ１に送信する。
【００９１】
図１５はデジタルカメラ１と外部装置との接続外観図であり、デジタルカメラ１と画像表示装置がＵＳＢケーブル９０で接続されている様子を示す。また、図１６はデジタルカメラ１と画像表示装置３００とのＵＳＢ接続の一実施例を示すブロック図である。
【００９２】
図１６で、デジタルカメラ１は画像表示装置３００とＵＳＢケーブル９０で接続され、画像表示装置３００から送信されるデータ送信要求（機種コードを含む）があると動作状態となり、ＵＳＢ部３３は状態フラグを「１」（動作状態）とすると共にデータ送信要求中の機種コードを機種判別コードとして保持する。制御部２２は機種判別コードを調べて画像表示装置と判定すると保存メモリ２８に記録されている画像データ等のデータをＵＳＢ部３３及びＵＳＢケーブル９０を介して画像表示装置３００に送信する。また、要求されたデータの送信が終わるか、画像表示装置３００から送信終了要求又は送信中断要求があると送信を終了し、ＵＳＢ部３３は状態フラグを「０」（非動作状態）とする。
【００９３】
画像表示装置３００側では、制御部３０１が操作部３０６からのユーザの指示操作に基づき送信要求をＵＳＢインターフェイス３０２を介してデジタルカメラ１に送り、デジタルカメラ１からＵＳＢケーブル９０及びＵＳＢインターフェイス３０２を介して受信した画像データ等のデータをバッファメモリ３０３に一時記憶したあと表示部３０４で表示する。ユーザ指示によるデータの受信／表示が完了すると送信終了要求をデジタルカメラ１に送信する。また、故障やユーザ指示若しくはプログラムによる中断事由が生じた場合は送信中断要求をデジタルカメラ１に送信する。
【００９４】
上記各実施例の説明では電子機器としてデジタルカメラを例としたが、本発明は、デジタルカメラの他、ビデオカメラ等の電子カメラ及び表示部を備えた開閉可能な蓋付き携帯電話機や回転式表示装置を備えた各種電子機器などにも適用することができる。
【００９５】
以上、本発明のいくつかの実施例について説明したが本発明は上記各実施例に限定されるものではなく、種々の変形実施が可能であることはいうまでもない。
【図面の簡単な説明】
【００９６】
【図１】本発明に係る電子機器の一例としてのデジタルカメラの一実施例の外観を示す斜視図である。
【図２】図１に示したデジタルカメラの電子回路構成の一実施例を示す図である
【図３】回転式表示部の回転状態と本体の電源状態及び表示状態との関係の一実施例を示す対応表である。
【図４】回転式表示部の回転とカメラ本体の電源状態等の説明図である。
【図５】回転式表示部の開閉（Ｘ軸の回転角）とカメラ本体の電源状態等の説明図である。
【図６】回転式表示部のＹ軸の回転角と液晶モニタ画面の向き及び表示画像の状態等の説明図である。
【図７】回転式表示部の開閉（Ｘ軸の回転角）とカメラ本体の電源状態等の説明図である。
【図８】回転式表示部の開閉状態と電源状態及び表示状態との関係を示す説明図である。
【図９】回転式表示部の開閉に伴う電源オン／オフ制御動作及びＬＥＤ点灯（点滅）／消灯制御の一実施例を示すフローチャートである。
【図１０】ＬＥＤ点灯（点滅）制御動作の一実施例を示すフローチャートである。
【図１１】デジタルカメラと外部装置（パーソナルコンピュータ）とのＵＳＢ接続の外観図である。
【図１２】デジタルカメラとパーソナルコンピュータとのＵＳＢ接続の一実施例を示すブロック図である。
【図１３】デジタルカメラと外部装置（画像プリンタ）とのＵＳＢ接続の外観図である。
【図１４】デジタルカメラと画像プリンタとのＵＳＢ接続の一実施例を示すブロック図である。
【図１５】デジタルカメラと外部装置（画像表示装置）とのＵＳＢ接続の外観図である。
【図１６】デジタルカメラと画像表示装置とのＵＳＢ接続の一実施例を示すブロック図である。
【符号の説明】
【００９７】
１  デジタルカメラ（電子機器）
５  回転式表示部（回転する機構を備えた表示装置）
７  動作確認用ＬＥＤ
１０  開閉検出スイッチ（検出手段）
２２  制御部（電源オフ手段、動作判断手段、電源オフ検出手段、電源オフ手段を動作させる手段、電源状態検出手段）
３１  開閉検出部（検出手段）
３２  Ｙ軸回転角検出部（方向検出手段）
５１  Ｙ軸回転角検出スイッチ（検出手段、方向検出手段）
５２  オン／オフ強制スイッチ（選択手段）
【図１】
2006186522.tif 000003
【図２】
2006186522.tif 000004
【図３】
2006186522.tif 000005
【図４】
2006186522.tif 000006
【図５】
2006186522.tif 000007
【図６】
2006186522.tif 000008
【図７】
2006186522.tif 000009
【図８】
2006186522.tif 000010
【図９】
2006186522.tif 000011
【図１０】
2006186522.tif 000012
【図１１】
2006186522.tif 000013
【図１２】
2006186522.tif 000014
【図１３】
2006186522.tif 000015
【図１４】
2006186522.tif 000016
【図１５】
2006186522.tif 000017
【図１６】
2006186522.tif 000018